(57)【要約】【課題】構造が簡単で、ロールスクリーン装置を、パネルの交換と同様の感覚で、枠体に容易に組み付けたり、取り外したりすることができるようにした間仕切パネル装置を提供する。【解決手段】左右１対の支柱１、１を、上下方向に離間する複数の横杆２、３、４をもって連結することにより、上下方向に１段または多段の方形の空間Ｓ１、Ｓ２を有する枠体５を形成し、この枠体５における上記空間の前後いずれか一方の縁に、左右および上下の縁部をパネル用縁枠部材９で囲繞した透光性のパネル６を装着し、かつ上記空間の前後いずれか他方の縁に、パネル用縁枠部材９とほぼ同形のロールスクリーン用縁枠部材１２を装着し、このロールスクリーン用縁枠部材１２に、ロールスクリーン装置１３を装着する。【選択図】図１
2008013938.tif 000002
【特許請求の範囲】
【請求項１】
左右１対の支柱を、上下方向に離間する複数の横杆をもって連結することにより、上下方向に１段または多段の方形の空間を有する枠体を形成し、この枠体における前記空間の前後いずれか一方の縁に、左右および上下の縁部をパネル用縁枠部材で囲繞した透光性のパネルを装着し、かつ前記枠体における他方の縁に、前記パネル用縁枠部材とほぼ同形のロールスクリーン用縁枠部材を装着し、このロールスクリーン用縁枠部材に、その一方の端部寄りに枢支した巻取筒に巻き取られたスクリーンを、他方の端部に向かって引き出して保持しうるようにしたロールスクリーン装置を装着したことを特徴とする間仕切パネル装置。
【請求項２】
ロールスクリーン用縁枠部材およびロールスクリーン装置を、枠体より脱着可能とし、かつ前記枠体における前記ロールスクリーン用縁枠部材およびロールスクリーン装置を取り外した際、その部分に、前記パネルおよびそのパネル用縁枠部材と同一のものを、前後逆向きとして装着しうるようにした請求項１記載の間仕切パネル装置。
【請求項３】
ロールスクリーン装置を、ロールスクリーン用縁枠部材における左右および上下のいずれかの端部に沿って取り付けられた固定軸と、この固定軸に枢支され、かつスクリーンを巻き取る巻取筒と、この巻取筒と固定軸との間に設けられ、前記巻取筒に巻取方向への復帰回転力を付与する付勢手段とを有するロールスクリーン本体を備えるものとした請求項１または２記載の間仕切パネル装置。
【請求項４】
ロールスクリーン装置を、ロールスクリーン本体より引き出されたスクリーンの先端に止着したハンドルバーと、ロールスクリーン用縁枠部材におけるロールスクリーン本体を両側から挟む互いに平行をなす対向面に設けられ、かつ前記ハンドルバーの両端部の移動を案内する１対のガイドレールとを備えるものとした請求項３記載の間仕切パネル装置。
【請求項５】
各ガイドレールに、長手方向を向くラックをそれぞれ設け、ハンドルバーを挿通する同期連動杆の両端に設けた１対のピニオンを、対応する前記各ラックに噛合させた請求項４記載の間仕切パネル装置。
【発明の詳細な説明】
【技術分野】
【０００１】
本発明は、ロールスクリーン装置を装着した間仕切パネル装置に関する。
【背景技術】
【０００２】
この種の間仕切パネル装置として、前後両面に透光板を装着した枠体内に、ロールスクリーン装置を設け、枠体内に組み込んだ内部機構部と、枠体外に設けた外部機構部とにより、遮光性のスクリーンを、２枚の透光板間において昇降しうるようにしたものがある(例えば特許文献１参照)。
【０００３】
また、ロールスクリーン装置としては、スプリングモータによりスクリーンを巻き取る巻取ロールと、スクリーンの両側縁を案内するためのガイドレールと、スクリーンの下端に結合されたボトムバーとからなるものがある(例えば特許文献２参照)。
【特許文献１】特開２００３−８２９６２号公報
【特許文献２】特許第３３４０２２６号公報
【発明の開示】
【発明が解決しようとする課題】
【０００４】
しかし、特許文献１に記載されている間仕切パネル装置は、ロールスクリーン装置におけるスクリーンの先端に止着した昇降杆を、外部から手で直接昇降させることができないため、内部機構部や外部機構部等の複雑な機構を必要とし、構造が複雑化するとともに、ロールスクリーン装置を装着したものと、しないものとの共通化を図ったり、必要に応じて、ロールスクリーン装置を装着するといったことができない。
【０００５】
また、特許文献２に記載されているロールスクリーン装置を、既存の透光性の間仕切パネル装置の側面に装着して、使用することが考えられるが、それによると、ロールスクリーン装置が間仕切パネル装置の表面から突出し、通行の妨げとなるとともに、ロールスクリーン装置を装着しない他の間仕切パネル装置とのデザイン上の統一を図ることができなくなり、体裁が悪い。
【０００６】
本発明は、従来の技術が有する上記のような問題点に鑑み、構造が簡単で、ロールスクリーン装置を、パネルの交換と同様の感覚で、枠体に容易に組み付けたり、取り外したりすることができるとともに、ロールスクリーン装置を装着したものと、しないものとの部品の共通化、およびデザイン上の統一を図ることができるようにした間仕切パネル装置を提供することを目的としている。
【課題を解決するための手段】
【０００７】
本発明によると、上記課題は、次のようにして解決される。
（１）左右１対の支柱を、上下方向に離間する複数の横杆をもって連結することにより、上下方向に１段または多段の方形の空間を有する枠体を形成し、この枠体における前記空間の前後いずれか一方の縁に、左右および上下の縁部をパネル用縁枠部材で囲繞した透光性のパネルを装着し、かつ前記枠体における他方の縁に、前記パネル用縁枠部材とほぼ同形のロールスクリーン用縁枠部材を装着し、このロールスクリーン用縁枠部材に、その一方の端部寄りに枢支した巻取筒に巻き取られたスクリーンを、他方の端部に向かって引き出して保持しうるようにしたロールスクリーン装置を装着する。
【０００８】
（２）上記(１)項において、ロールスクリーン用縁枠部材およびロールスクリーン装置を、枠体より脱着可能とし、かつ前記枠体における前記ロールスクリーン用縁枠部材およびロールスクリーン装置を取り外した際、その部分に、前記パネルおよびそのパネル用縁枠部材と同一のものを、前後逆向きとして装着しうるようにする。
【０００９】
（３）上記(１)または(２)項において、ロールスクリーン装置を、ロールスクリーン用縁枠部材における左右および上下のいずれかの端部に沿って取り付けられた固定軸と、この固定軸に枢支され、かつスクリーンを巻き取る巻取筒と、この巻取筒と固定軸との間に設けられ、前記巻取筒に巻取方向への復帰回転力を付与する付勢手段とを有するロールスクリーン本体を備えるものとする。
【００１０】
（４）上記(３)項において、ロールスクリーン装置を、ロールスクリーン本体より引き出されたスクリーンの先端に止着したハンドルバーと、ロールスクリーン用縁枠部材におけるロールスクリーン本体を両側から挟む互いに平行をなす対向面に設けられ、かつ前記ハンドルバーの両端部の移動を案内する１対のガイドレールとを備えるものとする。
【００１１】
（５）上記(４)項において、各ガイドレールに、長手方向を向くラックをそれぞれ設け、ハンドルバーを挿通する同期連動杆の両端に設けた１対のピニオンを、対応する前記各ラックに噛合させる。
【発明の効果】
【００１２】
本発明によると、次のような効果を奏することができる。
請求項１記載の発明によると、ロールスクリーン装置を、パネル用縁枠部材とほぼ同形のロールスクリーン用縁枠部材に装着し、それを枠体に装着するようにしてあるので、ロールスクリーン装置を、パネルの交換と同様の感覚で、枠体に容易に組み付けたり、取り外したりすることができるとともに、ロールスクリーン装置を装着したものと、しないものとの部品の共通化、およびデザイン上の統一を図ることができ、体裁がよい。
【００１３】
請求項２記載の発明によると、ロールスクリーン用縁枠部材およびロールスクリーン装置を、枠体より脱着可能とし、かつ前記枠体における前記ロールスクリーン用縁枠部材およびロールスクリーン装置を取り外した際、その部分に、前記パネルおよびそのパネル用縁枠部材と同一のものを、前後逆向きとして装着しうるようにしてあるので、ロールスクリーン装置と、パネルとを、選択して、ほぼ同様の構造および作業により、枠体に簡単に取り付けることができる。
【００１４】
請求項３記載の発明によると、ロールスクリーン装置を、ロールスクリーン用縁枠部材における左右および上下のいずれかの端部に沿って取り付けられた固定軸と、この固定軸に枢支され、かつスクリーンを巻き取る巻取筒と、この巻取筒と固定軸との間に設けられ、前記巻取筒に巻取方向への復帰回転力を付与する付勢手段とを有するロールスクリーン本体を備えるものとしてあるので、ロールスクリーン本体が、ロールスクリーン用縁枠部材と混然一体となり、目立つことがなく、美麗な外観を呈することができる。
【００１５】
請求項４記載の発明によると、ロールスクリーン装置を、ロールスクリーン本体より引き出されたスクリーンの先端に止着したハンドルバーと、ロールスクリーン用縁枠部材におけるロールスクリーン本体を両側から挟む互いに平行をなす対向面に設けられ、かつ前記ハンドルバーの両端部の移動を案内する１対のガイドレールとを備えるものとしてあるので、ハンドルバーを把持して、スクリーンを、ロールスクリーン本体より円滑に出し入れすることができる。
【００１６】
請求項５記載の発明によると、各ガイドレールに、長手方向を向くラックをそれぞれ設け、ハンドルバーを挿通する同期連動杆の両端に設けた１対のピニオンを、対応する前記各ラックに噛合させてあるので、ハンドルバーの両端部が、互いに同期して、各ガイドレール内を移動し、ハンドルバーが傾くことなく、円滑に移動することができ、スクリーンにしわや傾きが生じるのを防止することができる。
【発明を実施するための最良の形態】
【００１７】
以下、本発明の一実施形態を、図面に基づいて説明する。
図１に示すように、この間仕切パネル装置は、左右１対の支柱(１)(１)を、上下方向に離間する複数の横杆(２)(３)(４)をもって連結することにより形成した、上下２段の方形の空間(S1)(S2)を有する枠体(５)を備えている。
なお、中間の横杆(３)を省略して、枠体(５)を単なる方形枠状としたり、または、中間の横杆(３)を複数個設けることにより、枠体(５)に３段以上の空間を形成することもある。
【００１８】
枠体(５)における上下の空間(S1)(S2)の後部の開口縁部には、透明または半透明のガラス板またはアクリル板等からなる透光性のパネル(６)と、その左右および上下の縁部を囲繞する左右１対の縦枠材(７)(７)および上下１対の横枠材(８)(８)からなるパネル用縁枠部材(９)とが、脱着可能として装着されている。
【００１９】
左右１対の縦枠材(７)(７)と上下１対の横枠材(８)(８)とは、パネル(６)を囲繞した状態で、各端部同士を、直角をなすように互いに突き合わせて、Ｌ型金具(図示略)の各腕片にねじ止めすることにより、互いに結合されている。
また、各縦枠材(７)および横枠材(８)の内面には、前後方向外向きに拡開する傾斜面(７a)(８a)が形成されている。
【００２０】
上下のパネル用縁枠部材(９)は、図５および図４に示すように、上方の横枠材(８)の上面に上向き突設した突条(8b)を、上段の横杆(２)の下面に下向き突設した突条(2a)、および中間の横杆(３)の下面に下向き突設した突条(3a)の前面に、上下方向に若干の余裕を持って係合させ、かつ図４および図３に示すように、下方の横枠材(８)の下面に下向き突設した突条(8b)を、中間の横杆(３)の上面に上向き突設した突条(3b)、および下段の横杆(４)の上面に上向き突設した突条(4a)の前面に係合させて、横杆(３)(４)上に載置することにより、枠体(５)における上下の空間(S1)(S2)の後部の開口縁部にそれぞれ装着されている。
【００２１】
なお、左右の縦枠材(７)(７)の前面適所に設けた前方を向く下向きフック片(図示略)を、枠体(５)における左右の支柱(１)(１)の内面に設けた係止金具(図示略)に係止させたり、または縦枠材(７)(７)を支柱(１)(１)の内面にねじ止めしたりすることもある。
【００２２】
枠体(５)における上下の空間(S1)(S2)の前部の開口縁部には、基本形状がパネル用縁枠部材(９)におけるのとほぼ同形の、左右１対の縦枠材(10)(10)と上下１対の横枠材(11)(11)とからなるロールスクリーン用縁枠部材(12)が、パネル用縁枠部材(９)とほぼ前後対称をなし、かつ枠体(５)の前後方向の中央において互いに前後より突き合わされるようにして、また脱着可能として、装着されており、このロールスクリーン用縁枠部材(10)に、ロールスクリーン装置(13)が装着されている。
【００２３】
左右１対の縦枠材(10)(10)と上下１対の横枠材(11)(11)とは、縦枠材(７)(７)および横枠材(８)(８)と同様に、各端部同士を、直角をなすように互いに突き合わせて、Ｌ型金具(図示略)の各腕片にねじ止めすることにより、互いに結合されている。
また、各縦枠材(10)および横枠材(11)の内面には、前後方向外向きに拡開する傾斜面(10a)(11a)が形成されている。
【００２４】
上下のロールスクリーン用縁枠部材(12)は、上下のパネル用縁枠部材(９)と同様に、図５および図４に示すように、上方の横枠材(11)の上面に上向き突設した突条(11b)を、上段の横杆(２)の下面に下向き突設した突条(2a)、および中間の横杆(３)の下面に下向き突設した突条(3a)の後面に、上下方向に若干の余裕を持って係合させ、かつ図４および図３に示すように、下方の横枠材(11)の下面に下向き突設した突条(11b)を、中間の横杆(３)の上面に上向き突設した突条(3b)、および下段の横杆(４)の上面に上向き突設した突条(4a)の後面に係合させて、横杆(３)(４)上に載置することにより、枠体(５)における上下の空間(S1)(S2)の前部の開口縁部にそれぞれ装着されている。
【００２５】
図８〜図１１に示すように、各ロールスクリーン用縁枠部材(12)の左右の縦枠材(10)(10)は、枠体(５)における左右の支柱(１)の内面に固定ねじ(14)をもって固着した固定金具(15)に、適所を固定ねじ(16)をもって固着されている。
【００２６】
上下のロールスクリーン用縁枠部材(12)(12)に装着されたロールスクリーン装置(13)は、上下対称の同一構造をなしているので、以下の説明においては、特別の場合を除き、下方のロールスクリーン用縁枠部材(12)に装着したロールスクリーン装置(13)のみについて詳細に説明し、上方のロールスクリーン用縁枠部材(12)に装着したロールスクリーン装置(13)については、下方のロールスクリーン装置(13)におけるのと同一の部材に同一の符号を付して図示するに止め、詳細な説明は省略する。
【００２７】
このロールスクリーン装置(13)は、左右方向を向く固定軸(17)と、この固定軸(17)に回転自在に枢支され、かつ布、または合成樹脂製シート等からなるスクリーン(18)を巻き取るようにした巻取筒(19)と、この巻取筒(19)と固定軸(17)との間に設けられ、かつ巻取筒(19)に巻取方向への復帰回転力を付与する付勢手段(20)とを有するロールスクリーン本体(21)を備えている。
【００２８】
また、ロールスクリーン装置(13)は、ロールスクリーン本体(21)より引き出されたスクリーン(18)の先端に止着したハンドルバー(22)と、ロールスクリーン用縁枠部材(12)におけるロールスクリーン本体(21)を両側から挟む互いに平行をなす左右１対の縦枠材(10)(10)に設けられ、かつハンドルバー(22)の両端部の上下方向の移動を案内する１対のガイドレール(23)(23)とを備えている。
【００２９】
両ガイドレール(23)(23)は、互いの対向面の中央に開口(24)がそれぞれ形成された断面ほぼＣ字状をなし、それらの下端部には、上下部に後方に向かって開口するコ字状部(25a)(25b)が形成された補強部材(25)の外側面が、上下１対の固定ねじ(26)(26)をもって固着されている。
【００３０】
下方のコ字状部(25b)の左右幅は、ガイドレール(23)の内部空間の左右幅より小で、かつ上方のコ字状部(25a)の左右幅より大としてある。
右方の補強部材(25)の下方のコ字状部(25b)における内側の側片の前後方向の中央部には、鍔付きの軸受部材(27)が、内側より嵌合されている。
【００３１】
左方の補強部材(25)の下方のコ字状部(25b)における内側の側片の上縁中央には、受け溝(28)が、下方に向かって切設されている。
【００３２】
ロールスクリーン本体(21)における固定軸(17)の右方の端部には、小径軸(17a)が、また同じく左方の端部には、角軸(17b)がそれぞれ形成されている。
【００３３】
固定軸(17)は、その右方の小径軸(17a)を、上記軸受部材(27)に嵌合し、また左方の角軸(17b)を、左方の補強部材(25)における上記受け溝(28)に上方より嵌合して、受支させ、かつ左方の補強部材(25)における上方のコ字状部(25a)の内側面に固定ねじ(29)をもって固着した弾性体よりなるストッパ(30)の下端部に設けた押え片(30a)の下端をもって、角軸(17b)の上端面を押さえることにより、ロールスクリーン用縁枠部材(12)における下方の横枠材(11)に近接し、かつそれと平行をなすようにして、左右の縦枠材(10)(10)の下端部間に、回転不能として装着されている。
【００３４】
ストッパ(30)は、ハンドルバー(22)がガイドレール(23)に沿って下降し、下限位置に達したとき、ハンドルバー(22)に当接して、ハンドルバー(22)の下降を停止させるためのものである。
【００３５】
右方の補強部材(25)における上方のコ字状部(25a)の内側面にも、同様の弾性体よりなるストッパ(31)が、固定ねじ(29)をもって固着されているが、このストッパ(31)には、ストッパ(30)における押え片(30a)に相当するものは、必要がないため、設けられていない。
【００３６】
付勢手段(20)は、この例では、図９に示すように、一方の端末が、固定軸(17)の中間部に固着した鍔板(32)に係止され、かつ他方の端末が、巻取筒(19)の両端に嵌着した端板(33)(33)のうち、左方のものに係止され、スクリーン(18)を引き出したときの巻取筒(19)の回転により、巻き締められて、巻取筒(19)を巻き戻し方向に付勢するねじりコイルばね(34)としてあるが、ぜんまいばねその他のものとしてもよい。
【００３７】
図３に示すように、ハンドルバー(22)は、側面視上向コ字状をなす本体(22a)の下端中央に、スクリーン(18)の先端に側面視Ｔ字状をなすように止着した平板状のエンド部材(35)を係止しうるようにした、断面ほぼＴ字状の係合溝(22c)を有し、かつハンドルバー(22)の全長に亘って、本体(22a)の上端前縁より前方に向かって水平に突出する取っ手(22b)を有するものとしてある。
【００３８】
ハンドルバー(22)の本体(22a)は、左右のガイドレール(23)(23)に沿って両端部が摺動するようにした左右方向を向く角管状の摺動杆(36)に下方より外嵌され、かつ本体(22a)の前面より、複数の固定ねじ(22d)をもって、摺動杆(36)に固着されている。
【００３９】
摺動杆(36)には、左右方を向く同期連動杆(37)が貫通しており、摺動杆(36)の両側端より突出した同期連動杆(37)の各端部は、左右のガイドレール(23)の開口(24)を通って、ガイドレール(23)の内部に進入し、その進入した部分に、弾性を有する圧接板(38)とピニオン(39)とが固着されている。
【００４０】
圧接板(38)は、ガイドレール(23)の内部における開口(24)の前後の縁部に圧接するとともに、摺動杆(36)の側端との間に、ガイドレール(23)の開口(24)の縁部を挟んで、摺動杆(36)の昇降に摺動抵抗を付与する作用をする。それによって、付勢手段(20)の付勢力により、スクリーン(18)が巻取筒(19)に巻き戻されることのないように、ハンドルバー(22)を、所望の停止位置で停止させておくことができる。
【００４１】
なお、圧接板(38)と摺動杆(36)の側端とにより、ガイドレール(23)の開口(24)の縁部を挟んで、摺動杆(36)の昇降に摺動抵抗を付与するため、例えば、同期連動杆(37)を、特許文献２に記載されているように、連結部材により、互いに相対回転不能、かつ軸線方向に相対移動可能として連結された左右２個の心棒からなる２分割構造とし、各心棒の内端部寄りの外周面に設けた雄ねじ部に螺合するナットと、摺動杆(36)の側端部内側面との間に縮設した圧縮コイルばねにより、各心棒と圧接板(38)(特許文献２におけるスライド案内片に相当)とを、内方に向かって付勢するようにしてもよい。
【００４２】
左右のピニオン(39)(39)は、左右のガイドレール(23)(23)の内面に設けた上下方向を向くラック(40)と噛合し、摺動杆(36)が昇降するのに伴って、各ラック(40)に沿って互いに同期して転動し、摺動杆(36)の昇降時に、摺動杆(36)が、傾くことなく、常に巻取筒(19)と平行状態を保つようにしてある。
【００４３】
かくして、図３、図６および図７に示すように、ハンドルバー(22)の両端部がストッパ(30)(31)に当接した全開位置から、ハンドルバー(22)の取っ手(22b)を把持して引き上げることにより、図４に想像線で示すように、摺動杆(36)の上端面に設けた緩衝材(41)が、ロールスクリーン用縁枠部材(12)における上方の横枠材(11)の下面に当接する全閉位置まで、スクリーン(18)を閉じることができ、また上記の逆の操作で、スクリーン(18)を全開位置まで開くことができる。
【００４４】
図４に想像線で示すように、スクリーン(18)を全閉位置まで閉じたとき、ハンドルバー(22)の取っ手(22b)の上方には、上方の横枠材(11)の傾斜面(11a)が位置し、ハンドルバー(22)と、それに対向する傾斜面(11a)との間に、手掛け用の空間(Ａ)が形成されるので、美観を損なうことなく、ハンドルバー(22)の取っ手(22b)操作用の空間(Ａ)を確保することができる。
【００４５】
図５および図４に示すように、上方のロールスクリーン用縁枠部材(12)に装着されたロールスクリーン装置(13)は、下方のロールスクリーン用縁枠部材(12)に装着されたロールスクリーン装置(13)と上下対称の同一構造をなし、上下のロールスクリーン本体(21)(21)より、スクリーン(18)(18)を互いに上下内向きに引き出し可能とし、上下のスクリーン(18)(18)の先端に止着したハンドルバー(22)(22)が、上下の空間(S1)(S2)を区画する中間の横杆(３)の上下面に設けた上方のロールスクリーン用縁枠部材(12)の下方の横枠材(11)の上面と、下方のロールスクリーン用縁枠部材(12)の上方の横枠材(11)の下面と(以下、これらをまとめて横杆(３)部分という)に当接して停止するようにしてあるので、上下のスクリーン(18)(18)のバランスがよく、しかも、上下のスクリーン(18)(18)をともに閉じたときは、上下のハンドルバー(22)(22)が中間の横杆(３)部分の上下面に当接し、中間の横杆(３)の上下に非透光性パネルおよびそのパネル用縁枠部材を装着した間仕切装置とのデザインの統一を図ることができる。
【００４６】
図３および図５には、枠体(５)を、床および天井に取り付けるための構造を示してあるが、この構造は、本発明には直接関係しないので、詳細な説明は省略する。
【００４７】
この実施形態においては、次のような効果を奏することができる。
(１)ロールスクリーン装置を、パネル用縁枠部材とほぼ同形のロールスクリーン用縁枠部材に装着し、それを枠体に装着するようにしてあるので、ロールスクリーン装置を、パネルの交換と同様の感覚で、枠体に容易に組み付けたり、取り外したりすることができるとともに、ロールスクリーン装置を装着したものと、しないものとの部品の共通化、およびデザイン上の統一を図ることができ、体裁がよい。
【００４８】
(２)ロールスクリーン用縁枠部材およびロールスクリーン装置を、枠体より脱着可能とし、かつ枠体におけるロールスクリーン用縁枠部材およびロールスクリーン装置を離脱した部分に、パネルおよびそのパネル用縁枠部材と同一のものを、前後逆向きとして装着しうるようにしてあるので、ロールスクリーン装置と、パネルとを、選択して、ほぼ同様の構造および作業により、枠体に簡単に取り付けることができる。
【００４９】
(３)ロールスクリーン装置を、ロールスクリーン用縁枠部材における左右および上下のいずれかの辺に沿って設けられ、かつ前記辺に対向する辺に向かって引出し可能としたスクリーンを巻き取るようにしたロールスクリーン本体を備えるものとしてあるので、ロールスクリーン本体が、ロールスクリーン用縁枠部材と混然一体となり、目立つことがなく、美麗な外観を呈することができる。
【００５０】
(４)ロールスクリーン装置を、ロールスクリーン本体より引き出されたスクリーンの先端に止着したハンドルバーと、ロールスクリーン用縁枠部材におけるロールスクリーン本体を両側から挟む互いに平行をなす２辺の枠材の対向面に設けられ、かつ前記ハンドルバーの両端部の移動を案内する１対のガイドレールとを備えるものとしてあるので、ハンドルバーを把持して、スクリーンを、ロールスクリーン本体より円滑に出し入れすることができる。
【００５１】
(５)各ガイドレールに、長手方向を向くラックをそれぞれ設け、ハンドルバーを挿通する同期連動杆の両端に設けた１対のピニオンを、対応する前記各ラックに噛合させてあるので、ハンドルバーの両端部が、互いに同期して、各ガイドレール内を移動し、ハンドルバーが傾くことなく、円滑に移動することができ、スクリーンにしわや傾きが生じるのを防止することができる。
【００５２】
本発明は、上記実施形態のみに限定されるものではなく、特許請求の範囲を逸脱することなく、幾多の変形した態様での実施が可能である。
例えば、ロールスクリーン本体(21)を、巻取筒(19)等を覆うケースを備えるものとし、このケースを、ロールスクリーン用縁枠部材(12)一辺である縦枠材(10)または横枠材(11)に取り付け、スクリーン(18)を、上記一辺に対向する辺である縦枠材(10)または横枠材(11)に向かって、左右方向または上下方向に引き出すようにすることもできる。
【００５３】
また、上記実施形態では、パネル用縁枠部材(９)とロールスクリーン用縁枠部材(12)との前後方向の奥行きをほぼ同一とし、それらを、枠体(５)における各空間(S1)(S2)の前後方向の中央部で互いに突き合わされるようにして、枠体(５)に装着してあるが、パネル用縁枠部材(９)とロールスクリーン用縁枠部材(12)との前後方向の奥行きを互いに異ならせて実施することもある。
例えば、ガイドレール(23)の中心が、枠体(５)における各空間(S1)(S2)の前後方向の中央と一致するようにし、それに合わせて、パネル用縁枠部材(９)の前後方向の奥行きを小とし、かつロールスクリーン用縁枠部材(12)の前後方向の奥行きを大とすることもある。
【図面の簡単な説明】
【００５４】
【図１】本発明の一実施形態を斜め前方より見た分解斜視図である。
【図２】同じく、正面図である。
【図３】図２のIII−III線拡大縦断側面図である。
【図４】図２のIV−IV線拡大縦断側面図である。
【図５】図２のV−V線拡大縦断側面図である。
【図６】図２のVI部分の一部を破断して示す拡大正面図である。
【図７】図２のVII部分の一部を破断して示す拡大正面図である。
【図８】図６のVIII−VIII線拡大横断平面図である。
【図９】図７のIX−IX線拡大横断平面図である。
【図１０】図６のX−X線拡大横断平面図である。
【図１１】図７のXI−XI線拡大横断平面図である。
【符号の説明】
【００５５】
(１)支柱
(２)(３)(４)横杆
(2a)(3a)(3b)(4a)突条
(５)枠体
(６)パネル
(７)縦枠材
(7a)傾斜面
(８)横枠材
(8a)傾斜面
(8b)突条
(９)パネル用縁枠部材
(10)縦枠材
(10a)傾斜面
(11)横枠材
(11a)傾斜面
(11b)突条
(12)ロールスクリーン用縁枠部材
(13)ロールスクリーン装置
(14)固定ねじ
(15)固定金具
(16)固定ねじ
(17)固定軸
(18)スクリーン
(19)巻取筒
(20)付勢手段
(21)ロールスクリーン本体
(22)ハンドルバー
(22a)本体
(22b)取っ手
(22c)係合溝
(22d)固定ねじ
(23)ガイドレール
(24)開口
(25)補強部材
(25a)(25b)コ字状部
(26)固定ねじ
(27)軸受部材
(28)受け溝
(29)固定ねじ
(30)(31)ストッパ
(30a)押え片
(32)鍔板
(33)端板
(34)ねじりコイルばね
(35)エンド部材
(36)摺動杆
(37)同期連動杆
(38)圧接板
(39)ピニオン
(40)ラック
(41)緩衝材
(Ａ)(S1)(S2)空間
【図１】
2008013938.tif 000003
【図２】
2008013938.tif 000004
【図３】
2008013938.tif 000005
【図４】
2008013938.tif 000006
【図５】
2008013938.tif 000007
【図６】
2008013938.tif 000008
【図７】
2008013938.tif 000009
【図８】
2008013938.tif 000010
【図９】
2008013938.tif 000011
【図１０】
2008013938.tif 000012
【図１１】
2008013938.tif 000013